(57)【特許請求の範囲】
【請求項１】
音声データと複数の複数の静止画像用の画像データより成るスライドショー用ファイルのファイル記録方式において、
前記音声データより成る音声ファイル内に、
複数の静止画像それぞれを表し、それぞれの画像データが得られたときの撮影条件を表す撮影条件情報が含む複数の画像データと、
前記音声データによる音声が再生される際に、前記複数の静止画像を切り換えて表示するための順序を表す画像表示情報と、
を記録して、
前記スライドショー用ファイルを生成することを特徴とするファイル記録方式。
【請求項２】
前記画像データ及び前記画像表示情報を、前記音声データの属性が記録される前記音声ファイルにおけるタグ領域に記録することを特徴とする請求項１に記載のファイル記録方式。
【請求項３】
音声データと複数の静止画像用の画像データより成るスライドショー用ファイルのファイル記録方式において、
前記音声データより成る音声ファイル内に、前記音声データの再生と同時に表示される複数の静止画像を指定する画像指定情報を記録して、前記スライドショー用ファイルを生成するとともに、
前記複数の画像のうちの１つの画像の画像データのデータ量を縮小して得られるサムネイル画像が、前記音声ファイルを特定するためのアイコンとして表示されるように設定することを特徴とするファイル記録方式。
【請求項４】
前記複数の画像それぞれの画像データが、前記音声ファイル内に記録されることを特徴とする請求項３に記載のファイル記録方式。
【請求項５】
音声データと複数の静止画像用の画像データより成るスライドショー用ファイルのファイル処理方式において、
前記音声データより成る音声ファイル内に、前記音声データの再生と同時に表示される複数の静止画像を指定する画像指定情報と、前記複数の静止画像が表示される順番を指定する画像表示情報とが記録されて、前記スライドショー用ファイルが生成されるとともに、
前記音声データが再生されて、前記画像指定情報によって指定される前記複数の静止画像を、前記画像表示情報によって指定された順番で切り換えて表示する際において、
存在しない静止画像が前記画像指定情報によって表示されるように指定された場合、前記画像表示情報によって、次に表示されるように順番が指定された静止画像が表示されることを特徴とするファイル処理方式。
【請求項６】
存在しない静止画像が前記画像指定情報によって表示されるように指定された場合、該静止画像が表示される時間に、予め設定された所定の画像が表示されること特徴とする請求項５に記載のファイル処理方式。
【請求項７】
存在しない複数の静止画像が前記画像指定情報によって連続して表示されるように指定された場合、予め設定された複数の所定の画像が、前記複数の静止画像それぞれが表示される時間毎に切り換えられて表示されることを特徴とする請求項６に記載のファイル処理方式。
【請求項８】
前記存在しない静止画像を除く、表示される前記各静止画像の表示時間の合計が前記音声データが再生される音声再生時間と等しくなるように、表示される前記各静止画像の表示時間が設定されることを特徴とする請求項７に記載のファイル処理方式。
【請求項９】
音声データと複数の静止画像用の画像データより成るスライドショー用ファイルのファイル処理方式において、
前記音声データより成る音声ファイル内に、前記音声データの再生と同時に表示される複数の静止画像を指定する画像指定情報と、前記複数の静止画像が表示される順番及び表示時間を指定する画像表示情報とが記録されて、前記スライドショー用ファイルが生成されるとともに、
前記静止画像全ての表示の終了と前記音声データの再生の終了とが一致するように、前記静止画像が切り替わるタイミングに表示させるように予め設定された所定の画像の表示時間が設定されることを特徴とするファイル処理方式。
【請求項１０】
請求項５〜請求項９のいずれかに記載のファイル処理方式を用いて処理された音声ファイルより得られた音声データから音声を再生するとともに、前記画像指定情報によって指定される前記複数の静止画像を、前記画像表示情報によって指定された順番で切り換えて表示することを特徴とする画像表示装置。
【請求項１１】
音声データと複数の静止画像用の画像データより成るスライドショー用ファイルのファイル処理方式において、
前記音声データより成る音声ファイル内に、前記音声データの再生と同時に表示される複数の静止画像を指定する画像指定情報と、前記複数の静止画像が表示される順番を指定する画像表示情報とが記録されて、前記スライドショー用ファイルが生成されるとともに、
前記複数の静止画像より、少なくとも１つ以上の静止画像を特定の静止画像として選択し、
前記複数の静止画像のうち、前記特定の静止画像以外の各静止画像の表示時間が設定され、
前記特定の静止画像の表示時間が、前記特定の静止画像以外の各静止画像の表示時間と音声データの音声再生時間とに基づいて設定されることを特徴とするファイル処理方式。
【請求項１２】
音声データと複数の静止画像用の画像データより成るスライドショー用ファイルのファイル処理方式において、
前記音声データより成る音声ファイル内に、前記音声データの再生と同時に表示される複数の静止画像を指定する画像指定情報と、前記複数の静止画像が表示される順番を指定する画像表示情報とが記録されて、前記スライドショー用ファイルが生成されるとともに、
前記各静止画像の表示時間が設定され、
前記複数の静止画像のうち、少なくとも１枚以上の静止画像が表示される間、音声データが再生されないように設定されることを特徴とするファイル処理方式。
【請求項１３】
音声データと複数の静止画像用の画像データより成るスライドショー用ファイルのファイル処理方式において、
前記音声データより成る音声ファイル内に、前記音声データの再生と同時に表示される複数の静止画像を指定する画像指定情報と、前記複数の静止画像が表示される順番を指定する画像表示情報とが記録されて、前記スライドショー用ファイルが生成されるとともに、
前記各静止画像の表示時間が、初期値として所定の時間に設定されることを特徴とするファイル処理方式。
【請求項１４】
前記各静止画像の表示時間が、更に、前記各静止画像毎に設定された前記所定の時間に基づいて、その時間の長さを変化させることで再設定されることを特徴とする請求項１３に記載のファイル処理方式。
【請求項１５】
前記所定の時間が、前記音声データの音声再生時間を前記静止画像の画像数で割った時間とすることを特徴とする請求項１３又は請求項１４に記載のファイル処理方式。
【請求項１６】
音声データと複数の静止画像用の画像データより成るスライドショー用ファイルのファイル処理方式において、
前記音声データより成る音声ファイル内に、前記音声データの再生と同時に表示される複数の静止画像を指定する画像指定情報と、前記複数の静止画像が表示される順番を指定する画像表示情報とが記録されて、前記スライドショー用ファイルが生成されるとともに、
前記画像表示情報によって指定される前記複数の静止画像が表示される順番に基づいて、前記各静止画像の表示時間の長さ又は前記各静止画像の表示される順番のうち少なくとも一方が無作為に設定されることを特徴とするファイル処理方式。
【請求項１７】
前記各静止画像の表示時間が無作為に設定される場合、該各表示時間が所定の範囲内で設定されることを特徴とする請求項１６に記載のファイル処理方式。
【請求項１８】
前記各静止画像の表示時間が無作為に設定される場合、
前記複数の静止画像全ての表示の終了時刻と前記音声データの再生終了時刻とが一致するように、
前記複数の静止画像のうち、少なくとも１つの静止画像の表示時間が、設定された他の静止画像の表示時間と前記音声データの音声再生時間とに基づいて、設定されることを特徴とする請求項１７に記載のファイル処理方式。
【請求項１９】
請求項１１〜請求項１８のいずれかに記載のファイル処理方式を用いて前記音声ファイル内のデータを設定することによって、前記音声データの再生時に表示する前記複数の静止画像の表示方法を編集することを特徴とする画像編集装置。
【発明の詳細な説明】
【０００１】
【発明の属する技術分野】
本発明は、複数の画像と関連して再生される音声ファイルのファイル記録方式及びファイル処理方式に関し、特に、音声を再生するとともに複数の静止画像を切り換えて表示させるスライドショーで用いるための音声ファイルのファイル記録方式及びファイル処理方式に関する。
【０００２】
【従来の技術】
複数の静止画像を切り換えて表示するスライドショーでは、視覚のみの鑑賞となり、鑑賞者に飽きがきてしまう。このことを避けるために、静止画像とともに音声を再生することがなされている。このように、静止画像とともに音声を再生するための「音声付き画像録画再生装置」が特開２０００−２６１７５２号公報で提案されている。
【０００３】
この特開２０００−２６１７５２号公報では、画像データと複数の音声ファイルを指定するための複数の音声ファイル識別子とが格納された画像ファイル、又は、音声データと複数の画像ファイルを指定するための複数の画像ファイル識別子とが格納された音声ファイルを構成することで、画像ファイルによる画像の再生表示と音声ファイルによる音声の再生をともに行うことを実現している。即ち、音声データと複数の画像ファイルを指定するための複数の画像ファイル識別子とが格納された音声ファイルを「音声付き画像録画再生装置」で再生する際、音声ファイル内の画像ファイル識別子で指定した画像ファイル内の画像データを処理して画像表示するとともに、音声ファイル内の画像データを処理して音声を再生する。
【０００４】
【発明が解決しようとする課題】
しかしながら、特開２０００−２６１７５２号公報の「音声付き画像録画再生装置」が処理を行う音声ファイルは、上述したように、音声データと複数の画像ファイルを指定するための複数の画像ファイル識別子とによって構成され、音声ファイル自身に画像データを有するわけではない。よって、このような音声ファイルを処理して画像とともに音声を再生する装置においては、音声ファイルのみならず、その音声ファイル内に格納された複数の画像ファイル識別子によって指定される複数の画像ファイルを有する必要がある。よって、装置から装置へ音声ファイルを移動させる際、音声ファイルのみでなく、複数の画像ファイルも移動させる必要があり、ファイルの処理が煩雑となる。
【０００５】
又、特開２０００−２６１７５２号公報の「音声付き画像録画再生装置」は、音声データと複数の画像ファイルを指定するための複数の画像ファイル識別子とによって構成された音声ファイルを処理して、音声と画像の再生を行うが、このとき、画像ファイル識別子によって指定された画像ファイルが存在しないときの動作については言及されておらず、その動作が不安定なものになる恐れがある。
【０００６】
更に、特開２０００−２６１７５２号公報の「音声付き画像録画再生装置」は、音声データと複数の画像ファイルを指定するための複数の画像ファイル識別子とによって構成された音声ファイルを生成する際、再生表示される各画像の表示時間設定は、音声を音声データとして記録する際に、鑑賞者が所望する時間になったときボタンを操作することによって、各画像の表示開始及び表示終了を設定する。よって、音声を録音して音声データの記録を行う際に、音声再生中の各画像の表示切換時間の設定をする必要があり、設定後の変更が困難であるとともに、その設定操作が煩雑なものとなる。
【０００７】
このような問題を鑑みて、本発明は、音声とともに再生される複数の静止画像の画像データを有する音声ファイルのファイル記録方式を提供することを目的とする。又、本発明は、音声ファイルによって指定された静止画像が存在しないときに、特定の画像又は次に表示されるように指定された静止画像を表示させることが可能なファイル処理方式及びこのファイル処理方式を用いて動作する画像表示装置を提供することを目的とする。更に、本発明は、音声とともに再生される複数の静止画像を指定することのできる音声ファイルを処理するにあたり、全画像の表示終了時刻と音声の再生終了時刻とが一致されるようなファイル処理方式及びこのファイル処理方式を用いて動作する画像編集装置を提供することを目的とする。
【０００８】
【課題を解決するための手段】
上記目的を達成するために、請求項１に記載のファイル記録方式は、音声データと複数の複数の静止画像用の画像データより成るスライドショー用ファイルのファイル記録方式において、前記音声データより成る音声ファイル内に、複数の静止画像それぞれを表し、それぞれの画像データが得られたときの撮影条件を表す撮影条件情報が含む複数の画像データと、前記音声データによる音声が再生される際に、前記複数の静止画像を切り換えて表示するための順序を表す画像表示情報と、を記録して、前記スライドショー用ファイルを生成することを特徴とする。
【０００９】
このようなファイル記録方式によると、画像データを別のデータファイルとせずに、音声データが記録される音声ファイルに直接記録させてスライドショー用ファイルを生成する。よって、記録媒体間や通信媒体間を通じて、ファイルの移動が求められるとき、音声ファイルのみの移動で、その音声データに関連づけられた画像データととともに移動することができる。
【００１０】
又、前記複数の画像データに、それぞれの画像データが得られたときの撮影条件を表す撮影条件情報を含めることで、その撮影条件とともに画像データを再生することができる。又、請求項２に記載するように、前記画像データ及び前記画像表示情報を、前記音声データの属性が記録されるタグ領域に記録するようにして、従来の音声ファイルのみを再生する再生処理装置への互換性を保持させることができる。
【００１１】
又、請求項３に記載のファイル記録方式は、音声データと複数の静止画像用の画像データより成るスライドショー用ファイルのファイル記録方式において、前記音声データより成る音声ファイル内に、前記音声データの再生と同時に表示される複数の静止画像を指定する画像指定情報を記録して、前記スライドショー用ファイルを生成するとともに、前記複数の画像のうちの１つの画像の画像データのデータ量を縮小して得られるサムネイル画像が、前記音声ファイルを特定するためのアイコンとして表示されるように設定することを特徴とする。
【００１２】
スライドショー用ファイルである音声ファイルを特定するアイコンがディスプレイ内のデスクトップ上などに表示されたとき、そのアイコンを音声ファイルが有する画像データのサムネイル画像とすることで、音声ファイルの内容の理解を容易にすることができる。又、このような音声ファイルは、請求項４に記載するように、前記複数の画像それぞれの画像データが、前記音声ファイル内に記録されるようにしても構わない。
【００１３】
又、請求項５に記載のファイル処理方式は、音声データと複数の静止画像用の画像データより成るスライドショー用ファイルのファイル処理方式において、前記音声データより成る音声ファイル内に、前記音声データの再生と同時に表示される複数の静止画像を指定する画像指定情報と、前記複数の静止画像が表示される順番を指定する画像表示情報とが記録されて、前記スライドショー用ファイルが生成されるとともに、前記音声データが再生されて、前記画像指定情報によって指定される前記複数の静止画像を、前記画像表示情報によって指定された順番で切り換えて表示する際において、存在しない静止画像が前記画像指定情報によって表示されるように指定された場合、前記画像表示情報によって、次に表示されるように順番が指定された静止画像が表示されることを特徴とする。
【００１４】
このようなファイル処理方式によると、端末装置などで、専用のアプリケーションを用いてスライドショー用ファイルである音声ファイルを再生するとき、音声データとともに、順に再生される静止画像の中で、画像データの無いものが検知されたとき、請求項６に記載するように、予めアプリケーションで設定された色や模様などの所定の画像を、画像データの無い静止画像の代わりに再生させる。よって、静止画像の画像データが無く、表示画面がブラックアウトすることを避けることができる。
【００１５】
又、静止画像の再生終了時刻と次の静止画像の再生開始時刻が異なるとき、請求項７に記載するように、この静止画像の再生終了時刻から次の静止画像の再生開始時刻までの間に、予めアプリケーションで設定された色や模様などの所定の画像を、画像データの無い静止画像の代わりに再生させる。よって、静止画像が切り替わるときに、再生する画像データが無いために、表示画面がブラックアウトすることを避けることができる。
【００１６】
請求項９に記載のファイル処理方式は、音声データと複数の静止画像用の画像データより成るスライドショー用ファイルのファイル処理方式において、前記音声データより成る音声ファイル内に、前記音声データの再生と同時に表示される複数の静止画像を指定する画像指定情報と、前記複数の静止画像が表示される順番及び表示時間を指定する画像表示情報とが記録されて、前記スライドショー用ファイルが生成されるとともに、前記静止画像全ての表示の終了と前記音声データの再生の終了とが一致するように、前記静止画像が切り替わるタイミングに表示させるように予め設定された所定の画像の表示時間が設定されることを特徴とする。
【００１７】
このようなファイル処理方式によると、例えば、スライドショー用ファイルである音声ファイル内において、表示時間が設定されていない静止画像の表示時間が、音声データの再生時間と静止画像の数より設定される。このとき、例えば、音声データの再生時間を静止画像の数で割ることによって、静止画像の表示時間が設定されるようにしても構わない。
【００１８】
請求項１０に記載の画像表示装置は、請求項５〜請求項９のいずれかに記載のファイル処理方式を用いて処理された音声ファイルより得られた音声データから音声を再生するとともに、前記画像指定情報によって指定される前記複数の静止画像を、前記画像表示情報によって指定された順番で切り換えて表示することを特徴とする。
【００１９】
請求項１１に記載のファイル処理方式は、音声データと複数の静止画像用の画像データより成るスライドショー用ファイルのファイル処理方式において、前記音声データより成る音声ファイル内に、前記音声データの再生と同時に表示される複数の静止画像を指定する画像指定情報と、前記複数の静止画像が表示される順番を指定する画像表示情報とが記録されて、前記スライドショー用ファイルが生成されるとともに、前記複数の静止画像より、少なくとも１つ以上の静止画像を特定の静止画像として選択し、前記複数の静止画像のうち、前記特定の静止画像以外の各静止画像の表示時間が設定され、前記特定の静止画像の表示時間が、前記特定の静止画像以外の各静止画像の表示時間と音声データの音声再生時間とに基づいて設定されることを特徴とする。
【００２０】
このようなファイル処理方式によると、静止画像の表示時間をユーザーが端末に格納された専用のアプリケーションを用いて設定するとき、最終的に、各静止画像の表示時間の和が、音声データの再生時間と等しくなるように、設定される。
【００２１】
請求項１２に記載のファイル処理方式は、音声データと複数の静止画像用の画像データより成るスライドショー用ファイルのファイル処理方式において、前記音声データより成る音声ファイル内に、前記音声データの再生と同時に表示される複数の静止画像を指定する画像指定情報と、前記複数の静止画像が表示される順番を指定する画像表示情報とが記録されて、前記スライドショー用ファイルが生成されるとともに、前記各静止画像の表示時間が設定され、前記複数の静止画像のうち、少なくとも１枚以上の静止画像が表示される間、音声データが再生されないように設定されることを特徴とする。
【００２２】
このようなファイル処理方式によると、静止画像の表示時間をユーザーが端末に格納された専用のアプリケーションを用いて設定するとき、音声データを再生する前に、複数枚の静止画像を表示させるように設定することができる。
【００２３】
請求項１３に記載のファイル処理方式は、音声データと複数の静止画像用の画像データより成るスライドショー用ファイルのファイル処理方式において、前記音声データより成る音声ファイル内に、前記音声データの再生と同時に表示される複数の静止画像を指定する画像指定情報と、前記複数の静止画像が表示される順番を指定する画像表示情報とが記録されて、前記スライドショー用ファイルが生成されるとともに、前記各静止画像の表示時間が、初期値として所定の時間に設定されることを特徴とする。
【００２４】
このようなファイル処理方式は、静止画像の表示時間をユーザーが端末に格納された専用のアプリケーションを用いて設定するとき、最終的に、各静止画像の表示時間の和が、音声データの再生時間と等しくなるように、静止画像の表示時間が初期値として、所定の時間に設定される。
【００２５】
又、請求項１４に記載するように、前記各静止画像の表示時間が、更に、前記各静止画像毎に設定された前記所定の時間に基づいて、その時間の長さを変化させることで再設定されるようにしても構わない。又、請求項１５に記載するように、前記所定の時間を、前記音声データの音声再生時間を前記静止画像の画像数で割った時間としても構わない。
【００２６】
請求項１６に記載のファイル処理方式は、音声データと複数の静止画像用の画像データより成るスライドショー用ファイルのファイル処理方式において、前記音声データより成る音声ファイル内に、前記音声データの再生と同時に表示される複数の静止画像を指定する画像指定情報と、前記複数の静止画像が表示される順番を指定する画像表示情報とが記録されて、前記スライドショー用ファイルが生成されるとともに、前記画像表示情報によって指定される前記複数の静止画像が表示される順番に基づいて、前記各静止画像の表示時間の長さ又は前記各静止画像の表示される順番のうち少なくとも一方が無作為に設定されることを特徴とする。
【００２７】
このようなファイル処理方式において、請求項１７に記載するように、前記各静止画像の表示時間が無作為に設定される場合、該各表示時間が所定の範囲内で設定されるようにし、又、請求項１８に記載するように、前記各静止画像の表示時間が無作為に設定される場合、前記複数の静止画像全ての表示の終了時刻と前記音声データの再生終了時刻とが一致するように、前記複数の静止画像のうち、少なくとも１つの静止画像の表示時間が、設定された他の静止画像の表示時間と前記音声データの音声再生時間とに基づいて、設定されるようにする。
【００２８】
請求項１９に記載の画像編集装置は、請求項１１〜請求項１８のいずれかに記載のファイル処理方式を用いて前記音声ファイル内のデータを設定することによって、前記音声データの再生時に表示する前記複数の静止画像の表示方法を編集することを特徴とする。
【００２９】
【発明の実施の形態】
本発明の実施の形態について、図面を参照して説明する。図１は、本発明のデータ提供方式を用いた通信ネットワークシステムの構成を示す図である。
【００３０】
図１の通信ネットワークシステムは、パーソナルコンピュータや携帯端末やデジタルカメラなどの通信機能を有する端末装置１−１〜１−ｎと、データファイルの配信要求を行う端末装置１−１〜１−ｎに対してデータファイルの配信を行うサーバ装置２と、各ブロック間で通信が行われるための通信ネットワーク３とで構成される。
【００３１】
このような通信ネットワークシステムにおいて、端末装置１−１〜１−ｎの構成は、図２のようになる。即ち、端末装置１（図１の端末装置１−１〜１−ｎに相当する）は、装置全体の制御を行うＣＰＵ（Ｃｅｎｔｒａｌ  Ｐｒｏｃｅｓｓｉｎｇ  Ｕｎｉｔ）１１と、端末装置１を動作させるためのソフトウェアが格納されたＲＯＭ（Ｒｅａｄ  Ｏｎｌｙ  Ｍｅｍｏｒｙ）１２と、ＣＰＵ１１が演算動作を行うときのデータの一時保管などを行うＲＡＭ（Ｒａｎｄｏｍ  Ａｃｃｅｓｓ  Ｍｅｍｏｒｙ）１３と、インターネットなどの通信ネットワーク３と接続されてデータの送受信を行うモデムなどの通信部１４と、データ編集用ソフトを含む各種アプリケーションソフトや各種アプリケーションソフトで処理されたデータファイルなどを格納したＨＤＤ（Ｈａｒｄ  Ｄｉｓｋ  Ｄｒｉｖｅ）１５と、フロッピーディスクやメモリーカードやＣＤ−ＲＯＭなどの記憶メディアからのデータの読み出しや書き込みを行うドライブ１６と、外部の周辺機器とデータをやり取りするためのＩ／Ｏ（Ｉｎｐｕｔ／Ｏｕｔｐｕｔ）部１７と、Ｉ／Ｏ部１７から出力されるデータより画像やテキストの表示を行うディスプレイなどの表示部１８と、キーボードやマウスなどのデータを入力するための入力部１９と、ブロック１１〜１７の間でデータのやり取りを行うためのバス回線２０とを有する。
【００３２】
又、サーバ装置２の構成は、図３のようになる。即ち、サーバ装置２は、装置全体の制御を行うＣＰＵ２１と、サーバ装置２を動作させるためのソフトウェアが格納されたＲＯＭ２２と、ＣＰＵ２１が演算動作を行うときのデータの一時保管などを行うＲＡＭ２３と、インターネットなどの通信ネットワークと接続されてデータの送受信を行うモデムなどの通信部２４と、音声データのデータファイルを複数格納した外部記憶装置２５と、ブロック２１〜２５の間でデータのやり取りを行うためのバス回線２６とを有する。
【００３３】
このように構成される端末装置１−１〜１−ｎ及びサーバ装置２の間でデータファイルの配信が行われる際の各装置の動作及びデータファイルの構成について、以下に説明する。
【００３４】
＜データファイルの構成＞
まず、サーバ装置２に格納されるとともに端末装置１に配信される音声データのデータファイルの一構成例について、図面を参照して説明する。図４は、データファイルの構成を示す図である。図５は、図４のデータファイルの詳細な構成を示す図である。
【００３５】
図４（ａ）のように、データファイルは、まず、データファイルの構成を示すためのタグデータが記録されるタグ領域４１と、音声データが記録される音声データ領域４２とで構成される。そして、タグ領域４１は、図４（ｂ）のように、音声データ用のタグデータが記録される音声用タグ領域４３と、画像データ及び画像データ用のタグデータが記録される画像記録領域４４−１〜４４−ｎとで構成される。更に、画像記録領域４４（画像記録領域４４−１〜４４−ｎに相当する）は、図４（ｃ）のように、画像データ用のタグデータが記録される画像用タグ領域４５と、画像データが記録される画像データ領域４６と、画像の垂直及び水平方向それぞれのピクセル数を縮小することでデータ量が縮小されたサムネイル画像データが記録されるサムネイルデータ領域４７とで構成される。
【００３６】
このように構成されるデータファイルの詳細な構成について、以下に説明する。図５は、８個の画像データが記録されたデータファイルｘｘｘｘにおけるタグ領域４１の構成例である。まず、図５（ａ）のように、音声用タグ領域４３では、ファイル名がそれぞれ、“ＦｉｌｅＮａｍｅ”によって表され、ディスプレイ上にデータファイルｘｘｘｘを表すためのアイコンを表示するためのサムネイル画像データが“Ｉｃｏｎ”で指示される。又、音声データの位置するアドレスが“ＷｅｖＤａｔａＡｄｒ”で指定されるとともに、音声データの再生時間が“ＰｌａｙＴｉｍｅ”に記録される。
【００３７】
更に、この音声用タグ領域４３において、“Ｉｍａｇｅ”によって、“Ｉｍａｇｅ”以下の記載が音声データに関連づけられている画像の画像データについての記載であることを示す。そして、音声データに関連づけられた画像の数が“ＩｍａｇｅＦｉｌｅｓ”で指定されるとともに、各画像データが記録される各画像記録領域の先頭アドレスが“ＩｍａｇｅＦｉｌｅＮａｍｅ”で指定される。更に、各画像の再生開始時刻及び再生終了時刻がそれぞれ、“ＳｔａｒｔＰｌａｙＩｍａｇｅ  ｋ”及び“ＥｎｄＰｌａｙＩｍａｇｅ  ｋ”（１≦ｋ≦８）で指定される。
【００３８】
よって、図５（ａ）の場合、ファイル名がｘｘｘｘのデータファイルで、アイコン用のデータに画像Ｉｍａｇｅ１のサムネイル画像データが使用される。又、音声データ領域４２の先頭アドレスがＡｘであり、その再生時間が３００秒である。更に音声データに関連づけられた画像の数が８個であるとともに、画像Ｉｍａｇｅ１〜Ｉｍａｇｅ８それぞれの画像データが格納された画像記録領域４４−１〜４４−８の先頭アドレスが、Ａ１〜Ａ８である。また、“ＳｔａｒｔＰｌａｙＩｍａｇｅ１”〜“ＳｔａｒｔＰｌａｙＩｍａｇｅ８”及び“ＥｎｄＰｌａｙＩｍａｇｅ１”〜“ＥｎｄＰｌａｙＩｍａｇｅ８”で設定される画像Ｉｍａｇｅ１〜Ｉｍａｇｅ８それぞれの再生時間が、図６のように表される。
【００３９】
即ち、“ＳｔａｒｔＰｌａｙＩｍａｇｅ１  ＝  ０”で、音声データの再生開始時刻とともに、画像Ｉｍａｇｅ１の画像再生が開始することを示し、“ＥｎｄＰｌａｙＩｍａｇｅ１  ＝  ２０”及び“ＳｔａｒｔＰｌａｙＩｍａｇｅ２  ＝  ２０”で、音声データの再生が開始してから２０秒後に、画像Ｉｍａｇｅ１のの再生が終了するとともに画像Ｉｍａｇｅ２の再生が開始することを示す。又、“ＥｎｄＰｌａｙＩｍａｇｅ２  ＝  ３０”で、音声データの再生が開始してから３０秒後に、画像Ｉｍａｇｅ２の再生が終了することを示す。そして、最終的に、“ＳｔａｒｔＰｌａｙＩｍａｇｅ８  ＝  ２７０”で、音声データの再生が開始してから２７０秒後に、画像Ｉｍａｇｅ８の再生が開始することを示し、“ＥｎｄＰｌａｙＩｍａｇｅ８  ＝  ３００”で、音声データが再生終了時刻とともに、画像Ｉｍａｇｅ８の再生が終了することを示す。
【００４０】
尚、“ＳｔａｒｔＰｌａｙＩｍａｇｅ３”〜“ＳｔａｒｔＰｌａｙＩｍａｇｅ７”及び“ＥｎｄＰｌａｙＩｍａｇｅ３”〜“ＥｎｄＰｌａｙＩｍａｇｅ７”によって、画像Ｉｍｇａｅ３〜Ｉｍａｇｅ７の再生時間が、決定される。又、“ＳｔａｒｔＰｌａｙＩｍａｇｅ  ｋ”を負の値としたとき、音声データの再生開始前に画像Ｉｍａｇｅ  ｋ  の画像データが再生されることを示す。
【００４１】
このように構成される音声用タグ領域４３の下に、画像記録領域４４−１〜４４−８が設けられるが、この画像記録領域４４−１〜４４−８は、図５（ａ）のように、それぞれの先頭アドレスがＡ１〜Ａ８となるアドレス領域に設けられる。次に、このように設けられた画像記録領域４４−１〜４４−８の構成について、図５（ｂ）を参照して説明する。
【００４２】
アドレスＡ１を先頭アドレスとするアドレス領域にある画像記録領域４４−１では、まず、画像用タグ領域４５−１において、“Ｉｍａｇｅ１”で、画像Ｉｍａｇｅ１の記述であることを示し、“Ｉｍａｇｅ１Ａｄｒ”で画像Ｉｍａｇｅ１の画像データが記録された画像データ領域４６−１の先頭アドレスがＡ１１であり、又、“Ｉｍａｇｅ１Ｔｈｍ”で画像Ｉｍａｇｅ１のサムネイル画像データが記録されたサムネイルデータ領域４７−１の先頭アドレスがＡ１２であることが示される。
【００４３】
よって、アドレスＡ１とアドレスＡ２との間に構成される画像記録領域４４−１において、アドレスＡ１とアドレスＡ１１との間に画像Ｉｍａｇｅ１の画像用タグ領域４５−１が構成され、アドレスＡ１１とアドレスＡ１２との間に画像Ｉｍａｇｅ１の画像データ領域４６−１が構成され、アドレスＡ１２とアドレスＡ２との間に画像Ｉｍａｇｅ１のサムネイルデータ領域４７−１が構成される。
【００４４】
更に、“ＸＩｍａｇｅＳｉｚｅ”及び“ＹＩｍａｇｅＳｉｚｅ”で、画像Ｉｍａｇｅ１の垂直方向及び水平方向それぞれにおける撮影時の画素サイズが、“ＤａｔｅＴｉｍｅ”で撮影日時が、“Ａｐｅｒｔｕｒｅ”で撮影時の絞りが、“ＳｈｕｔｔｅｒＳｐｅｅｄ”で撮影時のシャッタースピードが、“Ｍｏｄｅ”で撮影条件設定が自動で行われたか手動で行われたかが、“Ｆｌａｓｈ”で撮影時にフラッシュが使用されたか、それぞれ、示される。
【００４５】
即ち、Ｉｍａｇｅ１が、垂直方向に８００ピクセル、水平方向に６００ピクセルの画素で、日本時間の２００１年２月２３日１２時１３分２４秒撮影され、このときの絞り（Ｆナンバー）がＦ２．８であるとともに、そのシャッタースピードが１／２５０秒であることがわかる。又、撮影時の絞りやシャッタースピードやフラッシュのＯＮ／ＯＦＦなどの撮影条件設定が自動で行われ、更に、フラッシュの使用がなかったことがわかる。
【００４６】
同様に、画像Ｉｍａｇｅ２〜Ｉｍａｇｅ８においても、画像データの先頭アドレス、サムネイル画像データの先頭アドレス、及び、撮影時の各種撮影条件などが、画像記録領域４４−２〜４４−８に記載される。又、画像Ｉｍａｇｅ２〜Ｉｍａｇｅ８の画像データの先頭アドレス及びサムネイル画像データの先頭アドレスがそれぞれ、Ａ２１〜Ａ８１、Ａ２２〜Ａ８２に設定される。このように、
【００４７】
このように、音声データが構成されるとき、図７のように、タグ領域４１に、画像記録領域４４−１〜４４−ｎが存在せず、音声用タグ領域４３において、音声データに関連づけられた画像データを有するデータファイルのファイル名が指定されるようにすることも可能である。即ち、図５の場合と同様、関連づけられた画像が８つであるとき、Ｉｍａｇｅ１〜Ｉｍａｇｅ８に指定される画像データのデータファイルａａａ１〜ａａａ８が、ファイル名であるａａａ１〜ａａａ８が“ＩｍａｇｅＦｉｌｅＮａｍｅ”に記載されて指定される。
【００４８】
更に、“ＳｔａｒｔＰｌａｙＩｍａｇｅ  ｋ”及び“ＥｎｄＰｌａｙＩｍａｇｅ  ｋ”における時間の記載がない場合は、Ｉｍａｇｅ  ｋ  の再生開始時刻及び再生終了時刻の指定がないことを示す。
【００４９】
このように設定される音声データを有するデータファイルｘｘｘｘのタグ領域４３に画像データを有する場合は、端末装置１の通信部１４より通信ネットワーク３を通じて、サーバ装置２の通信部２４に配信要求されると、このデータファイルｘｘｘｘが外部記憶装置２５より読み出されて、通信部２４から端末装置１に配信される。そして、端末装置１が、通信部１４でデータファイルｘｘｘｘを受信すると、ＨＤＤ１５に書き込まれる。
【００５０】
又、上述のように設定される音声データを有するデータファイルｘｘｘｘのタグ領域４３に画像データがない場合は、端末装置１の通信部１４より通信ネットワーク３を通じて、サーバ装置２の通信部２４に配信要求されると、このデータファイルｘｘｘｘが、関連づけられた画像データを有するデータファイルａａａ１〜ａａａ８とともに外部記憶装置２５より読み出されて、通信部２４から端末装置１に配信される。そして、端末装置１が、通信部１４でデータファイルｘｘｘｘ，ａａａ１〜ａａａ８を受信すると、ＨＤＤ１５に書き込まれる。
【００５１】
＜データファイル用のデータ編集ソフトの表示例＞
図８の表示部１８の画面表示例に示すように、表示部１８上のデスクトップに表示された上述した音声データを有するデータファイルのアイコンｉ１が、入力部１９が操作されて、ポインタで指定されたとき、まず、このデータファイルを編集及び再生するためのデータ編集用ソフトがＨＤＤ１５より読み出されて起動する。そして、ＨＤＤ１５から、又は、ドライブ１６によって記憶メディアから、データファイルが読み出されて、デスクトップの領域Ａにおけるデータ編集用ソフトのウィンドウに表示される。
【００５２】
読み出されたデータファイルが上述したデータファイルｘｘｘｘであるとき、図８のように、デスクトップの領域Ａにおけるデータ編集用ソフトのウィンドウには、データファイルｘｘｘｘの音声データによって再生される音声波形が時系列的に表示される。そして、データファイルｘｘｘｘによって指定される画像Ｉｍａｇｅ１〜Ｉｍａｇｅ８が、再生される順番に、そのサムネイル画像データより得られるサムネイル画像として表示される。
【００５３】
又、画像Ｉｍａｇｅ１〜Ｉｍａｇｅ８の再生開始時刻及び再生終了時刻がそれぞれ表示されるとともに、画像Ｉｍａｇｅ１〜Ｉｍａｇｅ８の再生開始時刻及び再生終了時刻と再生時間との関係を視覚で確認できるように、音声波形が表示された領域に、画像Ｉｍａｇｅ１〜Ｉｍａｇｅ８の再生開始時刻及び再生終了時刻毎の区切り線が表示される。更に、データファイルの再生設定又は編集するための設定ボタン、編集したデータファイルを保存するための保存ボタン、データファイルを再生するための再生ボタン、データ編集用ソフトを終了するための終了ボタン、及び、各種処理動作を指定するためのメニューバーが表示される。
【００５４】
このようにデータファイルｘｘｘｘが、データ編集用ソフトのウィンドウに表示されるとき、画像Ｉｍａｇｅ１〜Ｉｍａｇｅ８の全てが表示不可能であるときは、図８のように、スクロールバーが表示され、スクロールバーで左右にウィンドウ内の表示部分を切り換えることによって、各時間に対応した画像をウィンドウ内に表示させることができる。即ち、スクロールバーを操作することによって、時間軸方向に、ウィンドウ内の表示を変更させることができる。
【００５５】
尚、データファイルの再生又は編集を行うための起動方法は、これに限らず、例えば、入力部１９を操作することで、デスクトップ、又は、デスクトップに表示されたフォルダ内に表示されたデータ編集用ソフトを示すアイコンを指定して、データ編集用ソフトを起動した後、データ編集用ソフトのメニューバーなどから、起動するデータファイルを選択してデータ編集用ソフトのウィンドウ上に表示させるようにしても構わない。
【００５６】
又、データファイルを示すアイコンｉ１がデスクトップ上にない場合は、データファイルが格納されたフォルダを表示させ、そのフォルダ内のアイコンｉ１を指定することによって、データファイルがデータ編集用ソフトのウィンドウに表示される。
【００５７】
図８のように、データファイルがデータ編集用ソフトのウィンドウに表示されるとき、このウィンドウ上に表示された設定ボタンが、入力部１９が操作されて、ポインタによって指定されたとき、図９のように、表示部１８の領域Ａに、編集設定用ウィンドウが表示される。このように領域Ａに表示される編集設定用ウィンドウでは、画像切換タイミング、表示画像の無いタイミングに優先されて表示される模様、データファイルを再生する際に表示する項目、再生表示する画像をランダムに表示するか否か、のそれぞれを設定するための項目が表示される。
【００５８】
即ち、画像切換タイミングの設定項目では、データファイルの音声用タグ領域４３で設定された時間での画像の再生表示、又は、画像の再生時間の指定がない場合における各画像の均一時間毎の再生表示を行う自動切換、もしくは、各画像の再生時間をユーザーが設定するためのマニュアル切換のいずれか一方が選択される。
【００５９】
そして、表示画像の無いタイミングに優先されて表示される模様の設定項目では、ＩＭＡＧＥ１〜ＩＭＡＧＥ４の４つの模様から選択して、それぞれに優先順位を割り振ることで、表示するための画像の画像データがない場合や、画像の切換時に画像の非表示期間がある場合に表示される模様が設定される。よって、１つの模様のみを選択する場合は、その選択する模様に優先順位として１を割り振る。このとき、画像の非表示期間に表示される模様は、優先順位１が割り振られた模様のみが常に表示される。
【００６０】
即ち、模様ＩＭＡＧＥ１のみに優先順位１が割り振られて、模様ＩＭＡＧＥ２〜ＩＭＡＧＥ４に優先順位が割り振られていない場合、データファイルが再生処理されたときにおいて、指定した画像の画像データの無い場合や画像の切換時間が長い場合に発生する画像の非表示期間には、常に、模様ＩＭＡＧＥ１が表示される。
【００６１】
又、複数の模様に優先順位が、優先したいものの順に割り振られた場合、非表示期間が切り替わる毎に、１番目の優先順位の模様から順番に模様が切り替わり、模様全部が表示されると、再び、模様が表示される表示期間毎に、１番目の優先順位の模様から順番に模様が切り替わる。よって、例えば、指定された画像データが連続して存在しない場合、最初の画像データのない画像の再生時間に１番目の優先順位の模様が表示され、次の画像データのない画像の再生時間に２番目の優先順位の模様が表示される。
【００６２】
即ち、例えば、データファイルｘｘｘｘが再生処理されるときに、指定された画像Ｉｍａｇｅ２，Ｉｍａｇｅ３の画像データを含むデータファイルａａａ２，ａａａ３が無く、又、画像Ｉｍａｇｅ３と画像Ｉｍａｇｅ４及び画像Ｉｍａｇｅ４と画像Ｉｍａｇｅ５の再生表示の切換時間が長い場合において、模様ＩＭＡＧＥ１〜ＩＭＡＧＥ４のそれぞれに優先順位１〜４が割り振られたとき、画像Ｉｍａｇｅ２，Ｉｍａｇｅ３の再生表示時間に、模様ＩＭＡＧＥ１，ＩＭＡＧＥ２が表示される。そして、画像Ｉｍａｇｅ３の再生表示時間に表示された模様ＩＭＡＧＥ２の表示が終了すると、画像Ｉｍａｇｅ４が再生表示が開始されるまで模様ＩＭＡＧＥ３が表示される。そして、画像Ｉｍａｇｅ４の再生表示が終了した後、画像Ｉｍａｇｅ５の再生表示が開始されるまで模様ＩＭＡＧＥ４が表示される。
【００６３】
又、データファイルを再生する際に表示する項目の設定項目では、画像の再生表示とともに表示される画像の名称や撮影日や撮影時間といった項目が設定される。尚、これらの項目は、全てが表示されるように設定されることも可能であるし、全てが表示されないように設定されることも可能である。
【００６４】
又、再生表示する画像をランダムに表示するか否かの設定項目では、再生表示する画像の順序をランダムにするか否か及びランダムに変更するためのコマ数、再生表示する画像の再生時間をランダムにするか否か及び再生時間の範囲を設定することができる。このとき、再生表示する順序及び再生時間をともにランダムに設定することも可能であるし、再生表示する順序及び再生時間をともにランダムに設定することを禁止することも可能である。
【００６５】
このように、コマ数がランダムに設定されたときの再生処理は、以下のようになる。図１０のように、画像Ｉｍａｇｅ１〜Ｉｍａｇｅ８の再生される順番が１番目〜８番目に、データファイルで設定されているとき、３コマ毎にランダムに設定された場合、１番目に再生される画像が画像Ｉｍａｇｅ１〜Ｉｍａｇｅ４のうちの一つ、２番目が画像Ｉｍａｇｅ１〜Ｉｍａｇｅ５のうちの一つ、３番目が画像Ｉｍａｇｅ１〜Ｉｍａｇｅ６のうちの一つ、４番目が画像Ｉｍａｇｅ１〜Ｉｍａｇｅ７のうちの一つ、５番目が画像Ｉｍａｇｅ２〜Ｉｍａｇｅ８のうちの一つ、６番目が画像Ｉｍａｇｅ３〜Ｉｍａｇｅ８のうちの一つ、７番目が画像Ｉｍａｇｅ４〜Ｉｍａｇｅ８のうちの一つ、８番目が画像Ｉｍａｇｅ５〜Ｉｍａｇｅ８のうちの一つから選択される。
【００６６】
よって、例えば、１番目に画像Ｉｍａｇｅ２が選択されて再生された場合、２番目が画像Ｉｍａｇｅ１，Ｉｍａｇｅ３〜Ｉｍａｇｅ５の中から選択される。そして、２番目に画像Ｉｍａｇｅ５が選択されて再生されると、３番目が画像Ｉｍａｇｅ１，Ｉｍａｇｅ３，Ｉｍａｇｅ４，Ｉｍａｇｅ６の中から選択される。又、３番目に画像Ｉｍａｇｅ１が選択されて再生されると、４番目が画像Ｉｍａｇｅ３，Ｉｍａｇｅ４，Ｉｍａｇｅ６，Ｉｍａｇｅ７から選択される。
【００６７】
更に、４番目に画像Ｉｍａｇｅ４が選択されて再生されると、５番目が画像Ｉｍａｇｅ３，Ｉｍａｇｅ６〜Ｉｍａｇｅ８から選択される。そして、５番目に画像Ｉｍａｇｅ７が選択されて再生されると、７番目の画像が画像Ｉｍａｇｅ４以降の画像が選択されるため、６番目として、強制的に画像Ｉｍａｇｅ３が選択されて再生される。よって、７番目が、画像Ｉｍａｇｅ６，Ｉｍａｇｅ８から選択される。よって、７番目に画像Ｉｍａｇｅ８が選択されて再生されると、８番目に画像Ｉｍａｇｅ６が再生される。
【００６８】
又、時間設定をランダムとしたときは、画像Ｉｍａｇｅ１〜Ｉｍａｇｅ８が順に再生される場合、画像Ｉｍａｇｅ１から順に、編集設定用ウィンドウで設定された時間の範囲内で、再生時間が設定される。そして、画像Ｉｍａｇｅ８の再生終了時刻と、音声データの再生終了時刻が一致するように、画像Ｉｍａｇｅ１〜Ｉｍａｇｅ８の再生時間が設定される。
【００６９】
よって、例えば、画像Ｉｍａｇｅ１〜Ｉｍａｇｅ４が関連づけられているととともに、音声データの再生時間が５０秒と設定されているとき、時間設定が５〜３０秒でランダムとなるようにしてされた場合は、まず、画像Ｉｍａｇｅ１の再生時間が５〜３０秒より、例えば、２０秒に設定される。そして、次に、画像Ｉｍａｇｅ２の再生時間が５〜３０秒より、例えば、２０秒に設定される。そして、画像Ｉｍａｇｅ３の再生時間が設定されるが、画像Ｉｍａｇｅ３，Ｉｍａｇｅ４がともに５〜３０秒から設定されるため、全画像を音声データの再生時間に再生させるためには、設定される残りの再生時間が１０秒となるため、画像Ｉｍａｇｅ３，Ｉｍａｇｅ４ともに、その再生時間が強制的に５秒と設定される。
【００７０】
更に、図９のように、編集設定用ウィンドウが表示されると、このウィンドウ上の各項目の設定を確定するためのＯＫボタンと、このウィンドウ上の各項目の設定を確定を取り消すためのキャンセルボタンと、が表示される。そして、このＯＫボタン及びキャンセルボタンが、入力部１９が操作されて、ポインタで指定されると、元の図８のような表示画面に戻る。
【００７１】
今、図９のような編集設定用ウィンドウにおいて、マニュアル切換が選択されて、図８のような画面表示に戻ったとき、入力部１９を操作して、ポインタで再生表示の順番を入れ換えたいサムネイル画像を指示した後、このサムネイル画像をポインタで保持したまま、移動させたい順番の位置に移動させることによって、ユーザーの所望する再生表示の順番に入れ換えることができる。又、各サムネイル画像の上側の領域の再生開始時刻及び再生終了時刻を変更するように入力部１９によって入力することで、ユーザーが所望する時間に各画像を表示させることができる。
【００７２】
又、画像それぞれの再生開始時刻及び再生終了時刻が、データファイル内で設定されていないとき、音声データの再生時間を画像の数で割った値を、各画像それぞれの再生時間として設定された後、画像それぞれの再生開始時刻及び再生終了時刻が図８に示すウィンドウ上に表示される。そして、ユーザーは、各画像の再生開始時刻及び再生終了時刻を、入力部１９を操作することで編集することが可能となるが、最後に再生される画像の再生終了時刻は、編集不可能として、音声データの再生終了と同時に画像の再生を終了させるように編集することができる。
【００７３】
よって、例えば、画像Ｉｍａｇｅ１〜Ｉｍａｇｅ４が関連づけられているととともに、音声データの再生時間が８０秒と設定されているとき、マニュアル設定にしたとき、まず、画像Ｉｍａｇｅ１〜Ｉｍａｇｅ４の再生時間がそれぞれ、２０秒ごとに設定される。よって、画像Ｉｍａｇｅ１の再生開始時刻及び再生終了時刻が０秒及び２０秒、画像Ｉｍａｇｅ２の再生開始時刻及び再生終了時刻が２０秒及び４０秒、画像Ｉｍａｇｅ３の再生開始時刻及び再生終了時刻が４０秒及び６０秒、画像Ｉｍａｇｅ４の再生開始時刻及び再生終了時刻が６０秒及び８０秒、と設定される。
【００７４】
このとき、図８のような表示画面において、ユーザーが画像Ｉｍａｇｅ１の再生開始時刻及び再生終了時刻を−２０秒及び０秒、画像Ｉｍａｇｅ２の再生開始時刻及び再生終了時刻を０秒及び３０秒、画像Ｉｍａｇｅ３の再生開始時刻及び再生終了時刻を３０秒及び５５秒と設定すると、画像Ｉｍａｇｅ４の再生開始時刻及び再生終了時刻が自動的に５５秒及び８０秒と設定される。
【００７５】
＜データファイルの再生処理＞
図８のように、データ編集用ソフトのウィンドウが表示されたときに、入力部１９が操作されて、再生ボタンがポインタで指示されたとき、まず、図１１のフローチャートのように、データファイルの音声用タグ領域４３において、“ＳｔａｒｔＰｌａｙＩｍａｇｅ  ｉ”及び“ＥｎｄＰｌａｙＩｍａｇｅ  ｉ”（１≦ｉ≦ｎ）全てにおける時間の記載があるか否かが確認される（ＳＴＥＰ１）。即ち、画像データ全てについて、再生開始時刻及び再生終了時刻が設定されているか否かが確認される。このとき、“ＳｔａｒｔＰｌａｙＩｍａｇｅ  ｉ”又は“ＥｎｄＰｌａｙＩｍａｇｅ  ｉ”における記載がなく、再生開始時刻又は再生終了時刻が指定されていない画像がある場合（Ｎｏ）、“ＳｔａｒｔＰｌａｙＩｍａｇｅ  ｉ”及び“ＥｎｄＰｌａｙＩｍａｇｅ  ｉ”における記載のない画像の再生開始時刻又は再生終了時刻が設定される（ＳＴＥＰ２）。尚、このＳＴＥＰ２の動作の詳細については、後述する。
【００７６】
ＳＴＥＰ１で全ての画像について再生開始時刻及び再生終了時刻が設定されていることを確認したとき（Ｙｅｓ）、又は、ＳＴＥＰ２で再生開始時刻及び再生終了時刻が設定されたとき、最初に再生表示する画像を指定するために、画像を指定するためのパラメータｉを１とする（ＳＴＥＰ３）。そして、“ＳｔａｒｔＰｌａｙＩｍａｇｅ１”より、画像Ｉｍａｇｅ１の再生開始時刻が負の値であるか否かが確認される（ＳＴＥＰ４）。
【００７７】
このとき、画像Ｉｍａｇｅ１の再生開始時刻が負の値であることが確認されたとき（Ｙｅｓ）、音声データの再生時間を表すパラメータＴを“ＳｔａｒｔＰｌａｙＩｍａｇｅ１”によって設定される画像Ｉｍａｇｅ１の再生開始時刻とする（ＳＴＥＰ５）。そして、“ＥｎｄＰｌａｙＩｍａｇｅ  ｉ”より、画像Ｉｍａｇｅ  ｉ  の再生終了時刻が負の値であるか否かが確認される（ＳＴＥＰ６）。そして、画像Ｉｍａｇｅ  ｉ  の再生終了時刻が負の値である場合（Ｙｅｓ）、現在の再生時刻Ｔと画像Ｉｍａｇｅ  ｉ  の再生開始時刻とが比較される（ＳＴＥＰ７）。このとき、現在の再生時刻Ｔの値が画像Ｉｍａｇｅ  ｉ  の再生開始時刻以上となると（Ｙｅｓ）、画像Ｉｍａｇｅ  ｉ  の再生表示処理が行われる（ＳＴＥＰ８）。尚、この画像Ｉｍａｇｅ  ｉ  の再生表示処理については、後述する。
【００７８】
又、現在の再生時刻Ｔの値が画像Ｉｍａｇｅ  ｉ  の再生開始時刻より小さいとき（Ｎｏ）、図９のように表示された編集設定用ウィンドウの表示画像の無いタイミングに優先されて表示される模様の設定項目で設定された優先順位に応じた模様が表示される（ＳＴＥＰ９）。そして、ＳＴＥＰ８又はＳＴＥＰ９のような処理が成されて画像Ｉｍａｇｅ  ｉ  又は模様の表示が成されると、現在の再生時刻Ｔの値が所定値分だけ加算される（ＳＴＥＰ１５）。
【００７９】
又、ＳＴＥＰ６で、画像Ｉｍａｇｅ  ｉ  の再生終了時刻が０以上の値であるときも（Ｙｅｓ）、ＳＴＥＰ７と同様、現在の再生時刻Ｔと画像Ｉｍａｇｅ  ｉ  の再生開始時刻とが比較される（ＳＴＥＰ１０）。このとき、現在の再生時刻Ｔの値が画像Ｉｍａｇｅ  ｉ  の再生開始時刻以上となると（Ｙｅｓ）、画像Ｉｍａｇｅ  ｉ  の再生表示処理が行われる（ＳＴＥＰ１１）。尚、この画像Ｉｍａｇｅ  ｉ  の再生表示処理については、後述する。
【００８０】
又、現在の再生時刻Ｔの値が画像Ｉｍａｇｅ  ｉ  の再生開始時刻より小さいとき（Ｎｏ）、図９のように表示された編集設定用ウィンドウの表示画像の無いタイミングに優先されて表示される模様の設定項目で設定された優先順位に応じた模様が表示される（ＳＴＥＰ１２）。そして、ＳＴＥＰ１１又はＳＴＥＰ１２のような処理が成されて画像Ｉｍａｇｅ  ｉ  又は模様の表示が成されると、現在の再生時刻Ｔの値が０であるか否かが確認される（ＳＴＥＰ１３）。
【００８１】
このとき、現在の再生時刻Ｔの値が０であることが確認されると（Ｙｅｓ）、音声データ領域４２の音声データが再生される（ＳＴＥＰ１４）。又、ＳＴＥＰ１１で、再生時刻Ｔの値が０でないとき（Ｎｏ）、現在の再生時刻Ｔの値が所定値分だけ加算される（ＳＴＥＰ１５）。尚、ＳＴＥＰ１４以降の動作については、後述する。
【００８２】
ＳＴＥＰ１５で、現在の再生時刻Ｔが計測されると、現在の再生時刻Ｔと画像Ｉｍａｇｅ  ｉ  の再生終了時刻とが比較される（ＳＴＥＰ１６）。そして、現在の再生時刻Ｔの値が画像Ｉｍａｇｅ  ｉ  の再生終了時刻より大きくなるとき（Ｙｅｓ）、パラメータｉが、“ＩｍａｇｅＦｉｌｅｓ”で指定される画像の数と一致するか否かが確認される（ＳＴＥＰ１７）。即ち、このとき、全画像が表示されたか否かが確認される。又、ＳＴＥＰ１６で現在の再生時刻Ｔの値が画像Ｉｍａｇｅ  ｉ  の再生終了時刻以下となるとき（Ｎｏ）、ＳＴＥＰ６以降の動作が再び行われる。
【００８３】
更に、ＳＴＥＰ１７において、パラメータｉが“ＩｍａｇｅＦｉｌｅｓ”で指定される画像の数と一致していない場合（Ｎｏ）、パラメータｉの値をｉ＋１として１つ増加した後（ＳＴＥＰ１８）、ＳＴＥＰ６以降の動作が再び行われる。尚、ＳＴＥＰ１７において、パラメータｉが“ＩｍａｇｅＦｉｌｅｓ”で指定される画像の数と一致した場合（Ｙｅｓ）の動作については、後述する。
【００８４】
このようにすることで、図１４のように、画像Ｉｍａｇｅ１の再生開始時刻及び再生終了時刻が−５０秒及び−４０秒、画像Ｉｍａｇｅ２の再生開始時刻及び再生終了時刻が−３０秒及び−１５秒、画像Ｉｍａｇｅ３の再生開始時刻及び再生終了時刻が−５秒及び１０秒と設定されるとき、まず、画像Ｉｍａｇｅ１の再生開始時刻が負の値であるので、ＳＴＥＰ５で、現在の再生時刻Ｔが−５０秒に設定される。尚、編集設定用ウィンドウで設定される模様ＩＭＡＧＥ１〜ＩＭＡＧＥ４の優先順位がそれぞれ、１〜４となるものとする。
【００８５】
そして、画像Ｉｍａｇｅ１の再生終了時刻が負の値であるので、現在の再生時刻Ｔが−４０秒になるまで、ＳＴＥＰ８で画像Ｉｍａｇｅ１の表示処理が行われる。その後、現在の再生時刻Ｔが−４０秒となると、図１４のようにデータファイルで指定される画像が４つあるので、ＳＴＥＰ１８でパラメータｉが２とされる。画像Ｉｍａｇｅ２の再生終了時刻が負の値であるとともに、現在の再生時刻Ｔが画像Ｉｍａｇｅ２の再生開始時刻より小さな値であるため、現在の再生時刻Ｔが画像Ｉｍａｇｅ２の再生開始時刻−３０秒となるまで、ＳＴＥＰ９で模様ＩＭＡＧＥ１の表示処理が行われる。
【００８６】
そして、現在の再生時刻Ｔが画像Ｉｍａｇｅ２の再生開始時刻−３０秒となると、現在の再生時刻Ｔが−１５秒になるまで、ＳＴＥＰ８で画像Ｉｍａｇｅ２の表示処理が行われる。その後、現在の再生時刻Ｔが−１５秒となり、ＳＴＥＰ１８でパラメータｉが３とされると、画像Ｉｍａｇｅ３の再生終了時刻が０以上であるとともに、現在の再生時刻Ｔが画像Ｉｍａｇｅ３の再生開始時刻より小さな値であるため、現在の再生時刻Ｔが画像Ｉｍａｇｅ３の再生開始時刻−５秒となるまで、ＳＴＥＰ１２で模様ＩＭＡＧＥ２の表示処理が行われる。
【００８７】
そして、現在の再生時刻Ｔが画像Ｉｍａｇｅ３の再生開始時刻−５秒となると、ＳＴＥＰ１１で画像Ｉｍａｇｅ３の表示処理が行われる。このように、画像Ｉｍａｇｅ３の表示処理が行われている間に、現在の再生時刻Ｔが０となったことが確認されると、ＳＴＥＰ１２で音声データの再生が開始される。
【００８８】
ＳＴＥＰ４（図１１）で、画像Ｉｍａｇｅ１の再生開始時刻が０以上であるとき、図１２のフローチャートのように、音声データの再生時間を表すパラメータＴを０とし（ＳＴＥＰ１０１）、音声データ領域４２の音声データが再生される（ＳＴＥＰ１０２）。このようにＳＴＥＰ１０２で音声データの再生が開始されたとき、又は、ＳＴＥＰ１４（図１１）で音声データの再生が開始されたとき、現在の再生時刻Ｔと画像Ｉｍａｇｅ  ｉ  の再生開始時刻とが比較される（ＳＴＥＰ１０３）。このとき、現在の再生時刻Ｔの値が画像Ｉｍａｇｅ  ｉ  の再生開始時刻以上となると（Ｙｅｓ）、ＳＴＥＰ８と同様、画像Ｉｍａｇｅ  ｉ  の再生表示処理が行われる（ＳＴＥＰ１０４）。尚、この画像Ｉｍａｇｅ  ｉ  の再生表示処理については、後述する。
【００８９】
又、現在の再生時刻Ｔの値が画像Ｉｍａｇｅ  ｉ  の再生開始時刻より小さいとき（Ｎｏ）、図９のように表示された編集設定用ウィンドウの表示画像の無いタイミングに優先されて表示される模様の設定項目で設定された優先順位に応じた模様が表示される（ＳＴＥＰ１０５）。そして、ＳＴＥＰ１０４又はＳＴＥＰ１０５のような処理が成されて画像Ｉｍａｇｅ  ｉ  又は模様の表示が成されると、現在の再生時刻Ｔの値が所定値分だけ加算される（ＳＴＥＰ１０６）。
【００９０】
その後、現在の再生時刻Ｔと画像Ｉｍａｇｅ  ｉ  の再生終了時刻とが比較される（ＳＴＥＰ１０７）。そして、現在の再生時刻Ｔの値が画像Ｉｍａｇｅ  ｉ  の再生終了時刻より大きくなるとき（Ｙｅｓ）、パラメータｉが、“ＩｍａｇｅＦｉｌｅｓ”で指定される画像の数と一致するか否かが確認される（ＳＴＥＰ１０８）。即ち、このとき、全画像が表示されたか否かが確認される。又、ＳＴＥＰ１０７で現在の再生時刻Ｔの値が画像Ｉｍａｇｅ  ｉ  の再生終了時刻以下となるとき（Ｎｏ）、ＳＴＥＰ１０３以降の動作が再び行われる。
【００９１】
ＳＴＥＰ１０８において、パラメータｉが“ＩｍａｇｅＦｉｌｅｓ”で指定される画像の数と一致した場合（Ｙｅｓ）、現在の再生時刻Ｔの値が音声タグ領域４３における“ＰｌａｙＴｉｍｅ”で設定される音声データの再生時間と一致するか否かが確認される（ＳＴＥＰ１０９）。又、ＳＴＥＰ１０８において、パラメータｉが“ＩｍａｇｅＦｉｌｅｓ”で指定される画像の数と一致していない場合（Ｎｏ）、パラメータｉの値をｉ＋１として１つ増加した後（ＳＴＥＰ１１０）、ＳＴＥＰ１０３以降の動作が再び行われる。
【００９２】
ＳＴＥＰ１０９において、現在の再生時刻Ｔの値が音声データの再生時間でない場合（Ｎｏ）、図９のように表示された編集設定用ウィンドウの表示画像の無いタイミングに優先されて表示される模様の設定項目で設定された優先順位に応じた模様が表示される（ＳＴＥＰ１１１）。そして、現在の再生時刻Ｔの値が所定値分だけ加算されて（ＳＴＥＰ１１２）、再び、ＳＴＥＰ１０９の処理が行われる。又、現在の再生時刻Ｔの値が音声データの再生時間となる場合（Ｙｅｓ）、データファイルの再生を終了させる。
【００９３】
このようにすることで、図１４のように、画像Ｉｍａｇｅ４の再生開始時刻及び再生終了時刻が２０秒及び５０秒、音声データの再生時間が５０秒と設定されるとき、ＳＴＥＰ１４で音声データが再生開始されると、ＳＴＥＰ１０３で現在の再生時刻Ｔが画像Ｉｍａｇｅ３の再生開始時刻−５秒以上であることが確認されるため、現在の再生時刻Ｔが１０秒になるまで、ＳＴＥＰ１０４で画像Ｉｍａｇｅ３の表示処理が行われる。
【００９４】
そして、現在の再生時刻Ｔが１０秒となると、図１４のようにデータファイルで指定される画像が４つでパラメータｉが４と一致していないので、ＳＴＥＰ１１０でパラメータｉが４とされる。現在の再生時刻Ｔが画像Ｉｍａｇｅ４の再生開始時刻より小さな値であるため、現在の再生時刻Ｔが画像Ｉｍａｇｅ４の再生開始時刻２０秒となるまで、ＳＴＥＰ１０５で模様ＩＭＡＧＥ３の表示処理が行われる。そして、現在の再生時刻Ｔが画像Ｉｍａｇｅ４の再生開始時刻２０秒となると、現在の再生時刻Ｔが５０秒になるまで、ＳＴＥＰ１０４で画像Ｉｍａｇｅ４の表示処理が行われる。
【００９５】
その後、現在の再生時刻Ｔが５０秒になると、パラメータｉが画像の数となる４と一致したことが確認されるとともに、現在の再生時刻Ｔが音声データの再生時間５０秒と一致したことが確認されるため、データファイルの再生を終了する。
【００９６】
又、図１５のように、画像Ｉｍａｇｅ１の再生開始時刻及び再生終了時刻が０秒及び１０秒、画像Ｉｍａｇｅ２の再生開始時刻及び再生終了時刻が２０秒及び３５秒、画像Ｉｍａｇｅ３の再生開始時刻及び再生終了時刻が３５秒及び５０秒、音声データの再生時間が５０秒と設定されるとき、まず、ＳＴＥＰ４で画像Ｉｍａｇｅ１の再生開始時刻が０以上であることが確認されて、現在の再生時刻Ｔを０とするとともに、音声データが再生される。尚、図１４の場合と同様、編集設定用ウィンドウで設定される模様ＩＭＡＧＥ１〜ＩＭＡＧＥ４の優先順位がそれぞれ、１〜４となるものとする。
【００９７】
そして、現在の再生時刻Ｔが画像Ｉｍａｇｅ１の再生開始時刻０秒以上であるので、現在の再生時刻Ｔが１０秒になるまで、ＳＴＥＰ１０４で画像Ｉｍａｇｅ１の表示処理が行われる。その後、現在の再生時刻Ｔが１０秒となると、図１５のようにデータファイルで指定される画像が３つあるので、ＳＴＥＰ１１０でパラメータｉが２とされる。現在の再生時刻Ｔが画像Ｉｍａｇｅ２の再生開始時刻より小さな値であるため、現在の再生時刻Ｔが画像Ｉｍａｇｅ２の再生開始時刻２０秒となるまで、ＳＴＥＰ１０５で模様ＩＭＡＧＥ１の表示処理が行われる。
【００９８】
そして、現在の再生時刻Ｔが画像Ｉｍａｇｅ２の再生開始時刻２０秒となると、現在の再生時刻Ｔが３５秒になるまで、ＳＴＥＰ１０４で画像Ｉｍａｇｅ２の表示処理が行われる。その後、現在の再生時刻Ｔが３５秒となり、ＳＴＥＰ１１０でパラメータｉが３とされると、現在の再生時刻Ｔが画像Ｉｍａｇｅ３の再生開始時刻と一致するため、現在の再生時刻Ｔが５０秒になるまで、ＳＴＥＰ１０４で画像Ｉｍａｇｅ３の表示処理が行われる。
【００９９】
そして、現在の再生時刻Ｔが画像Ｉｍａｇｅ３の再生終了時刻５０秒となると、パラメータｉが画像の数となる３と一致したことが確認されるとともに、現在の再生時刻Ｔが音声データの再生時間５０秒と一致したことが確認されるため、データファイルの再生を終了する。
【０１００】
ＳＴＥＰ１７（図１１）において、パラメータｉが“ＩｍａｇｅＦｉｌｅｓ”で指定される画像の数と一致した場合（Ｙｅｓ）、図１３のフローチャートのように、図９のように表示された編集設定用ウィンドウの表示画像の無いタイミングに優先されて表示される模様の設定項目で設定された優先順位に応じた模様が表示される（ＳＴＥＰ２０１）。そして、現在の再生時刻Ｔの値が負であるか否かが確認される（ＳＴＥＰ２０２）。このとき、現在の再生時刻Ｔが負の値であることが確認されたとき（Ｙｅｓ）、現在の再生時刻Ｔの値が所定値分だけ加算された後（ＳＴＥＰ２０３）、再び、ＳＴＥＰ２０１以降の動作が行われる。
【０１０１】
ＳＴＥＰ２０２において、現在の再生時刻Ｔが０以上となることが確認されたとき（Ｎｏ）、現在の再生時刻Ｔの値が０であるか否かが確認される（ＳＴＥＰ２０４）。このとき、現在の再生時刻Ｔの値が０であることが確認されると（Ｙｅｓ）、音声データ領域４２の音声データが再生された後（ＳＴＥＰ２０５）、現在の再生時刻Ｔの値が所定値分だけ加算され（ＳＴＥＰ２０３）、再び、ＳＴＥＰ２０１以降の動作が行われる。
【０１０２】
ＳＴＥＰ２０４で、再生時刻Ｔの値が０でないとき（Ｎｏ）、現在の再生時刻Ｔの値が音声タグ領域４３における“ＰｌａｙＴｉｍｅ”で設定される音声データの再生時間と一致するか否かが確認される（ＳＴＥＰ２０６）。このとき、現在の再生時刻Ｔの値が音声データの再生時間でない場合（Ｎｏ）、現在の再生時刻Ｔの値が所定値分だけ加算され（ＳＴＥＰ２０３）、再び、ＳＴＥＰ２０１以降の動作が行われる。又、現在の再生時刻Ｔの値が音声データの再生時間となる場合（Ｙｅｓ）、データファイルの再生を終了させる。
【０１０３】
このようにすることで、音声データが開始される前に、画像の表示が全て行われた場合、編集設定用ウィンドウで設定された模様が、音声データの再生が終了するまで表示される。
【０１０４】
この図１１〜図１３のフローチャートのような動作を行う際において、まず、ＳＴＥＰ２における画像の再生開始時刻又は再生終了時刻の設定処理動作について、図１６のフローチャートを参照して説明する。
【０１０５】
ＳＴＥＰ２に移行すると、まず、データファイルの音声用タグ領域４３で“ＳｔａｒｔＰｌａｙＩｍａｇｅ  ｉ”及び“ＥｎｄＰｌａｙＩｍａｇｅ  ｉ”に記載がなく、再生開始時刻及び再生終了時刻が設定されていない画像が認識される（ＳＴＥＰ３０１）。この認識された画像の数が計数されて、その数をパラメータＮとする（ＳＴＥＰ３０２）。そして、“ＳｔａｒｔＰｌａｙＩｍａｇｅ  ｉ”及び“ＥｎｄＰｌａｙＩｍａｇｅ  ｉ”がともに記載され、再生開始時刻及び再生終了時刻が設定されている画像（即ちＳＴＥＰ３０２で特定された画像以外の画像）の再生時間が認識される（ＳＴＥＰ３０３）。
【０１０６】
このように認識された再生開始時刻及び再生終了時刻が設定されている画像の再生時間の和を、“ＰｌａｙＴｉｍｅ”で設定されている音楽データの再生時間から減算した後、パラメータＮで割ることによって、再生開始時刻及び再生終了時刻が設定されていない画像の再生時間が求められる（ＳＴＥＰ３０４）。その後、ＳＴＥＰ３０１で認識された再生開始時刻及び再生終了時刻が設定されていない画像の再生開始時刻及び再生終了時刻が設定された後（ＳＴＥＰ３０５）、ＳＴＥＰ３に移行する。
【０１０７】
今、音楽データの再生時間が９０秒と設定されるとともに、関連づけられた画像が画像Ｉｍａｇｅ１〜Ｉｍａｇｅ５であるとし、画像Ｉｍａｇｅ１の再生開始時刻及び再生終了時刻が０秒及び１０秒、画像Ｉｍａｇｅ５の再生開始時刻及び再生終了時刻が７０秒及び９０秒と設定されているものとする。このとき、再生開始時刻及び再生終了時刻の設定されていない画像が画像Ｉｍａｇｅ２〜Ｉｍａｇｅ４の３つであることが確認されて、パラメータＮが３とされる。又、画像Ｉｍａｇｅ１，Ｉｍａｇｅ５それぞれの再生時間が、それぞれ、１０秒及び２０秒であることが確認されるため、（９０−１０−２０）／３より、画像Ｉｍａｇｅ２〜Ｉｍａｇｅ４の再生時間がそれぞれ、２０秒とされる。
【０１０８】
よって、画像Ｉｍａｇｅ２の再生開始時刻及び再生終了時刻がそれぞれ、１０秒及び３０秒、画像Ｉｍａｇｅ３の再生開始時刻及び再生終了時刻がそれぞれ、３０秒及び５０秒、画像Ｉｍａｇｅ４の再生開始時刻及び再生終了時刻がそれぞれ、５０秒及び７０秒、と設定される。
【０１０９】
次に、ＳＴＥＰ８（図１１）及びＳＴＥＰ１１（図１１）及びＳＴＥＰ１０４（図１２）における画像の再生処理動作について、図１７のフローチャートを参照して説明する。
【０１１０】
ＳＴＥＰ８、ＳＴＥＰ１１又はＳＴＥＰ１０４に移行すると、画像Ｉｍａｇｅ  ｉ  の画像データがあるか否かが確認される（ＳＴＥＰ４０１）。即ち、音声用タグ領域４３で各画像の画像記録領域４４の先頭アドレスが設定されているときは、画像記録領域４４に画像データが格納されているか否かが、又、音声用タグ領域４３で各画像のデータファイルのファイル名が設定されているときは、そのファイル名のデータファイルが読み出し可能か否かが、それぞれ確認される。
【０１１１】
そして、画像データがあることが確認されると（Ｙｅｓ）、音声用タグ領域４３で指定された画像記録領域４４又はデータファイルに格納された画像データが読み出されて、画像Ｉｍａｇｅ  ｉ  が表示された後（ＳＴＥＰ４０２）、ＳＴＥＰ１５、ＳＴＥＰ１３、又はＳＴＥＰ１０６に移行する。又、画像データが確認されない場合（Ｎｏ）、図９のように表示された編集設定用ウィンドウの表示画像の無いタイミングに優先されて表示される模様の設定項目で設定された優先順位に応じた模様が表示された後（ＳＴＥＰ４０３）、ＳＴＥＰ１５、ＳＴＥＰ１３、又はＳＴＥＰ１０６に移行する。
【０１１２】
このようにすることで、画像Ｉｍａｇｅ  ｉ  に対して設定された再生時間帯内において、画像Ｉｍａｇｅ  ｉ  の画像データが確認された場合は、画像Ｉｍａｇｅ  ｉ  が表示され、又、画像Ｉｍａｇｅ  ｉ  の画像データが確認されなかった場合は、設定された再生時間帯内に画像Ｉｍａｇｅ  ｉ  の代わりに、編集設定用ウィンドウで設定された模様が表示される。
【０１１３】
【発明の効果】
本発明によると、音声データに関連づけられた複数の画像データを音声ファイル内に記録するため、ファイル自身の端末装置やサーバ装置間の移動処理が容易になる。又、画像データは、タグ領域に記録されるため、音声データの再生のみを行う従来のアプリケーションソフトにおいても音声データの再生が可能である。更に、関連づけられた画像のサムネイルを、音声ファイルのアイコンとして表示させることができるので、鑑賞者は、アイコンから音声ファイルの内容を容易に認識することができる。
【０１１４】
又、音声データに関連づけられた複数の画像データを記録した音声ファイルを再生する際、存在しない静止画像の再生が指示されたとき、指示された表示時間の間に特定の色や模様などの所定の画像を表示するので、画像データが存在しないために、なにも表示されないブラックアウト状態となることなく、画像を切り換えて表示するスライドショーを円滑に実行することができる。又、存在しない静止画像を除く全ての静止画像の表示時間の合計が、音声データの音声再生時間と等しくなるように、各静止画像の表示時間が設定されるため、音声データが再生されている間、常に、静止画像を切り換えて表示させることができ、画像を切り換えて表示するスライドショーを円滑に実行することができる。
【０１１５】
又、音声データの再生終了時刻と全静止画像の表示終了時刻とが一致するように、静止画像の表示時間の設定、又は、前記静止画像が切り替わるタイミングに表示させる所定の画像の表示時間の設定を行うので、画像を切り換えて表示するスライドショーを行う際に、静止画像の表示の切換が不自然になることが無く、鑑賞者に違和感を与えることを防ぐことができる。
【０１１６】
又、最初に表示されるように指定された少なくとも１枚以上の静止画像が表示される間、音声データが再生されないように設定する事ができるので、画像を切り換えて表示するスライドショーなどにおいて、音声データの再生開始を表示画面に応じて設定させることができる。更に、各静止画像の表示時間を、初期値として所定の時間に設定することができるので、各静止画像の表示時間の編集を所定の時間に基づいて設定することができ、その編集作業を容易なものとすることができる。
【図面の簡単な説明】
【図１】本発明における通信ネットワークシステムの構成を示すブロック図。
【図２】図１の通信ネットワークシステムにおける端末装置の内部構成を示すブロック図。
【図３】図１の通信ネットワークシステムにおけるサーバ装置の内部構成を示すブロック図。
【図４】データファイル内の構成を示す図。
【図５】データファイル内の構成を示す図。
【図６】音声データと画像の関係を示す図。
【図７】データファイル内の構成を示す図。
【図８】端末装置における表示例。
【図９】端末装置における表示例。
【図１０】画像のランダム表示の例を示す図。
【図１１】端末装置におけるデータファイルの再生動作を示すフローチャート。
【図１２】端末装置におけるデータファイルの再生動作を示すフローチャート。
【図１３】端末装置におけるデータファイルの再生動作を示すフローチャート。
【図１４】画像の再生例。
【図１５】画像の再生例。
【図１６】画像の再生時間設定動作を示すフローチャート。
【図１７】画像の再生処理動作を示すフローチャート。
【符号の説明】
１−１〜１−ｎ    端末装置
２    サーバ装置
３    通信ネットワーク
１１    ＣＰＵ
１２    ＲＯＭ
１３    ＲＡＭ
１４    通信部
１５    ＨＤＤ
１６    ドライブ
１７    Ｉ／Ｏ
１８    表示部
１９    入力部
２０    バス回線
２１    ＣＰＵ
２２    ＲＯＭ
２３    ＲＡＭ
２４    通信部
２５    外部記憶装置
２６    バス回線
【図１】
0003558048.tif 000002
【図２】
0003558048.tif 000003
【図３】
0003558048.tif 000004
【図４】
0003558048.tif 000005
【図５】
0003558048.tif 000006
【図６】
0003558048.tif 000007
【図７】
0003558048.tif 000008
【図８】
0003558048.tif 000009
【図９】
0003558048.tif 000010
【図１０】
0003558048.tif 000011
【図１１】
0003558048.tif 000012
【図１２】
0003558048.tif 000013
【図１３】
0003558048.tif 000014
【図１４】
0003558048.tif 000015
【図１５】
0003558048.tif 000016
【図１６】
0003558048.tif 000017
【図１７】
0003558048.tif 000018